(57)【特許請求の範囲】
【請求項１】
人体に装着するための各呼吸器に設けられる送信部であって、呼吸器の圧力容器内に圧縮充填された吸気ガスの圧力を検出する圧力センサを有し、圧力センサによって検出された圧力値を電波による無線通信によって送信する送信部と、
各呼吸器に設けられる送信部から送信される圧力値を受信し、受信した圧力値に基づいて、吸気ガスの残量を呼吸器ごとに表示する第１の表示部とを含む呼吸器の状態表示装置において、
各呼吸器の送信部から送信される電波の電波強度を測定する測定手段と、
測定した電波強度に基づいて各呼吸器との距離を算出する算出手段と、
算出した距離を前記第１の表示部に表示させる距離表示手段とを備え、
前記第１の表示部は、前記吸気ガスの残量と、前記呼吸器との距離とを、切り換えて表示し、
前記第１の表示部は、振動を検出する感振器、点灯部および電源部を含み、
感振器は、振動を検出すると、電源部からの電力を予め定める時間だけ点灯部に供給し、点灯部を点灯させることによって、吸気ガスの残量を表示することを特徴とする呼吸器の状態表示装置。
【請求項２】
各呼吸器に設けられ、同じ呼吸器に設けられる前記送信部から送信される圧力値を受信し、受信した圧力値に基づいて、吸気ガスの残量を表示する第２の表示部をさらに含むことを特徴とする請求項１に記載の呼吸器の状態表示装置。
【請求項３】
各呼吸器に設けられる前記送信部から送信される圧力値を受信し、受信した圧力値を送信する中継部をさらに含むことを特徴とする請求項１または２に記載の呼吸器の状態表示装置。
【請求項４】
前記送信部は、各送信部を識別するための識別情報が割り当てられ、圧力値を送信するとき、自送信部に割り当てられている識別情報とともに圧力値を送信し、
前記第１の表示部は、圧力値とともに識別情報を受信し、受信した識別情報が割り当てられている送信部が設けられる呼吸器を識別することを特徴とする請求項１〜３のいずれか１つに記載の呼吸器の状態表示装置。
【発明の詳細な説明】
【技術分野】
【０００１】
本発明は、呼吸器の状態表示装置に関し、特に圧力容器内に圧縮充填された空気または酸素などの吸気ガスの残量などの情報を表示するための呼吸器の状態表示装置に関する。
【背景技術】
【０００２】
呼吸器は、有害ガスが存在する場所で作業するために用いられる作業用呼吸器と、火災避難時などに用いられる避難用呼吸器とが存在する。作業用呼吸器は、長時間の作業を可能とするために、大容量の空気を蓄積可能な高圧空気容器を有し、大形でその重量も大きい。また避難用呼吸器は、小形軽量に構成され、作業用呼吸器に比べて使用可能時間が短い。
【０００３】
図７は、従来技術による呼吸器１００の一例を示す斜視図である。図８は、呼吸器１００に装備されるヘッドアップディスプレイ（Head Up Display；以下「ＨＵＤ」という）９０の外観を示す図である。呼吸器１００は、消防隊員などが装着する避難用呼吸器の一例である。
【０００４】
呼吸器１００は、圧力容器であるボンベ１０１、マスクである面体１０２、および起動ボタンなどを有する変換部９３を含んで構成される。変換部９３には、ボンベ１０１に接続され、ボンベ１０１に圧縮充填された吸気ガスの圧力を検出する圧力センサ９２が設けられる。変換部９３は、接続ケーブル９５によって表示部９４に接続される。変換部９３は、圧力センサ９２によって検出された圧力の圧力値を取得し、取得した圧力値を表示部９４に送る。表示部９４は、変換部９３から受け取った圧力値を、ボンベ１０１に圧縮充填された吸気ガスの残量として表示する。
【０００５】
呼吸器１００は、吸気ガスの圧力値を、接続ケーブル９５によって接続される表示部９４に送信して残量を表示するが、表示部９４が呼吸器１００を装着する隊員の手元に設けられるので、接続ケーブル９５が隊員の動作の障害になる可能性があるいう問題を有している。
【０００６】
この問題を解決するための従来技術として、特許文献１に記載される呼吸器がある。この呼吸器は、圧力容器内に圧縮充填された吸気ガスの圧力を圧力センサによって検出する。送信処理回路は、検出された圧力を含む圧力に関する情報を圧力データとして送信する。面体に設けられる受信処理回路は、送信処理回路から送信された圧力データを受信し、受信した圧力データが表わす圧力値に対応して、緑色および赤色の色表示用発光素子を選択的に点灯駆動し、またその点灯周期を圧力に対応して変化させる。
【先行技術文献】
【特許文献】
【０００７】
【特許文献１】特開２００２−１１９６０６号公報
【発明の概要】
【発明が解決しようとする課題】
【０００８】
表示部あるいは色表示用発光素子は、呼吸器を装着する隊員の手元あるいはマスクなどに設けられるものであり、呼吸器を装着している隊員のみが見るものである。したがって、隊長は、各隊員が装着している呼吸器の吸気ガスの残量を知るためには、各隊員と無線通信によって連絡して、各隊員が表示部あるいは色表示用発光素子によって確認した残量を隊長に報告させる必要がある。これは、消火活動を行っている隊員にとっては、大きな負担となり、消火活動の妨げとなることもあり得る。
【０００９】
本発明の目的は、各呼吸器の吸気ガスの残量を、接続ケーブル等を用いることなく離れた箇所に集中して表示することができる呼吸器の状態表示装置を提供することである。
【課題を解決するための手段】
【００１０】
本発明は、
人体に装着するための各呼吸器に設けられる送信部であって、呼吸器の圧力容器内に圧縮充填された吸気ガスの圧力を検出する圧力センサを有し、圧力センサによって検出された圧力値を電波による無線通信によって送信する送信部と、
各呼吸器に設けられる送信部から送信される圧力値を受信し、受信した圧力値に基づいて、吸気ガスの残量を呼吸器ごとに表示する第１の表示部とを含む呼吸器の状態表示装置において、
各呼吸器の送信部から送信される電波の電波強度を測定する測定手段と、
測定した電波強度に基づいて各呼吸器との距離を算出する算出手段と、
算出した距離を前記第１の表示部に表示させる距離表示手段とを備え、
前記第１の表示部は、前記吸気ガスの残量と、前記呼吸器との距離とを、切り換えて表示し、
前記第１の表示部は、振動を検出する感振器、点灯部および電源部を含み、
感振器は、振動を検出すると、電源部からの電力を予め定める時間だけ点灯部に供給し、点灯部を点灯させることによって、吸気ガスの残量を表示することを特徴とする呼吸器の状態表示装置である。
【００１１】
また本発明は、各呼吸器に設けられ、同じ呼吸器に設けられる前記送信部から送信される圧力値を受信し、受信した圧力値に基づいて、吸気ガスの残量を表示する第２の表示部をさらに含むことを特徴とする。
【００１２】
また本発明は、各呼吸器に設けられる前記送信部から送信される圧力値を受信し、受信した圧力値を送信する中継部をさらに含むことを特徴とする。
【００１３】
また本発明は、前記送信部は、各送信部を識別するための識別情報が割り当てられ、圧力値を送信するとき、自送信部に割り当てられている識別情報とともに圧力値を送信し、
前記第１の表示部は、圧力値とともに識別情報を受信し、受信した識別情報が割り当てられている送信部が設けられる呼吸器を識別することを特徴とする。
【００１４】
また本発明は、前記第１の表示部は、振動を検出する感振器、点灯部および電源部を含み、
感振器は、振動を検出すると、電源部からの電力を予め定める時間だけ点灯部に供給し、点灯部を点灯させることによって、吸気ガスの残量を表示することを特徴とする。
【発明の効果】
【００１５】
本発明によれば、送信部は、人体に装着するための各呼吸器に設けられ、呼吸器の圧力容器内に圧縮充填された吸気ガスの圧力を検出する圧力センサを有し、圧力センサによって検出された圧力値を無線通信によって送信する。そして、第１の表示部は、各呼吸器に設けられる送信部から送信される圧力値を受信し、受信した圧力値に基づいて、吸気ガスの残量を呼吸器ごとに表示する。したがって、送信部は、各呼吸器の吸気ガスの残量を、接続ケーブル等を用いることなく、離れた箇所にある第１の表示部に集中して表示することができる。また本発明に係る呼吸器の状態表示装置は、測定手段で測定した電波強度に基づいて、算出手段によって、人が装着する各呼吸器との距離を算出し、算出した距離を距離表示手段で表示することができるから、人が行方不明になった際に、人の所在を捜索するための装置として利用することができる。
また本発明によれば、前記第１の表示部は、振動を検出する感振器、点灯部および電源部を含む。感振器は、振動を検出すると、電源部からの電力を予め定める時間だけ点灯部に供給し、点灯部を点灯させることによって、吸気ガスの残量を表示する。したがって、残量を確認する必要があるときのみ、電源を投入することができるので、電源の容量の消耗を抑制することができる。
【００１６】
また本発明によれば、第２の表示部は、各呼吸器に設けられ、同じ呼吸器に設けられる前記送信部から送信される圧力値を受信し、受信した圧力値に基づいて、吸気ガスの残量を表示する。したがって、隊員が装着する呼吸器に装備される第２の表示部にも、第１の表示部に表示される残量と同じ残量を表示することができる。
【００１７】
また本発明によれば、中継部は、各呼吸器に設けられる前記送信部から送信される圧力値を受信し、受信した圧力値を送信するので、第１の表示部が送信部の通信範囲を超える範囲にある場合でも、圧力値を第１の表示部に送信することができる。
【００１８】
また本発明によれば、前記送信部は、各送信部を識別するための識別情報が割り当てられ、圧力値を送信するとき、自送信部に割り当てられている識別情報とともに圧力値を送信し、前記第１の表示部は、圧力値とともに識別情報を受信し、受信した識別情報が割り当てられている送信部が設けられる呼吸器を識別する。したがって、呼吸器ごとの残量を、呼吸器ごとに表示することができる。
【図面の簡単な説明】
【００２０】
【図１】本発明の一実施形態である呼吸器の状態表示装置１の外観図である。
【図２】呼吸器の状態表示装置１の構成を示すブロック図である。
【図３】操作表示部４３に設けられる表示ランプの一例を示す図である。
【図４】モニタ表示部５３に設けられる表示ランプの一例を示す図である。
【図５】通信データ６０の様式を示す図である。
【図６】本発明の他の実施形態である状態表示装置９の構成を示すブロック図である。
【図７】従来技術による呼吸器１００の一例を示す斜視図である。
【図８】呼吸器１００に装備されるＨＵＤ９０の外観を示す図である。
【発明を実施するための形態】
【００２１】
図１は、本発明の一実施形態である呼吸器の状態表示装置１の外観図である。図２は、呼吸器の状態表示装置１の構成を示すブロック図である。呼吸器の状態表示装置１は、少なくとも１つのヘッドアップディスプレイ（Head Up Display；以下「ＨＵＤ」という）２、および１つの集中モニタ５を含んで構成される。図１（ａ）は、ＨＵＤ２の外観図であり、図１（ｂ）は、集中モニタ５の外観図である。以下、「呼吸器の状態表示装置」を単に「状態表示装置」という。
【００２２】
消防隊の消火活動は、通常数名の隊員および１名の隊長が１組となって行われる。ＨＵＤ２は、人体、たとえば隊員が装着するための呼吸器、たとえば図７に示した呼吸器１００に装備され、１台の呼吸器１００に１つのＨＵＤ２が搭載される。集中モニタ５は、隊長が携帯し所持する。図２に示した状態表示装置１には、１つのＨＵＤ２しか示していないが、１組の隊員の数と同じ数、たとえば隊員の数が５人であれば５つのＨＵＤ２によって構成される。
【００２３】
ＨＵＤ２は、変換器３および表示部４を含んで構成される。送信部である変換器３は、変換制御部３１、変換通信部３２および圧力センサ３３を含んで構成される。変換制御部３１は、図示しない中央処理装置（以下「ＣＰＵ」という）および図示しない記憶装置によって構成される。記憶装置は、たとえば半導体メモリによって構成され、ＣＰＵによって実行されるプログラム、およびＣＰＵがプログラムを実行するときに必要となる情報を記憶する。変換制御部３１は、記憶装置に記憶されるプログラムを実行することによって、変換通信部３２を制御する。
【００２４】
変換通信部３２は、表示部４および集中モニタ５と、無線通信によって、情報の送受信を行う通信装置である。無線通信は、たとえば２，４ＧＨｚ帯の電波を用いる通信である。変換通信部３２は、たとえば日本電気製のＴＹ２４ＦＭ無線モジュールによって構成される。変換通信部３２は、変換制御部３１から受け取る情報を送信し、受信した情報を変換制御部３１に送る。
【００２５】
圧力センサ３３は、呼吸器、たとえば図７に示した呼吸器１００の圧力容器であるボンベに、出口の開閉バルブの後で接続され、圧力容器内の吸気ガスの圧力の圧力値を検出し、検出した圧力値を変換制御部３１に送る。
【００２６】
変換制御部３１は、予め定める時間間隔、たとえば１０秒の時間間隔で、圧力センサ３３から、圧力センサ３３によって検出された圧力容器内の吸気ガスの圧力の圧力値を取得し、取得した圧力値を変換通信部３２によって送信する。
【００２７】
第２の表示部である表示部４は、操作制御部４１、操作通信部４２および操作表示部４３を含んで構成される。操作制御部４１は、変換制御部３１と同様に、図示しないＣＰＵおよび図示しない記憶装置によって構成される。操作制御部４１は、操作制御部４１に含まれる記憶装置に記憶されるプログラムを実行することによって、操作通信部４２および操作表示部４３を制御する。
【００２８】
操作通信部４２は、変換通信部３２と同様に、たとえば日本電気製のＴＹ２４ＦＭ無線モジュールによって構成され、２，４ＧＨｚ帯の電波を用いて、変換通信部３２と情報の送受信を行う。操作通信部４２は、操作制御部４１から受け取る情報を送信し、受信した情報を操作制御部４１に送る。
【００２９】
図３は、操作表示部４３に設けられる表示ランプの一例を示す図である。操作表示部４３は、５つの表示ランプ４３１〜４３５を含んで構成される。表示ランプ４３１〜４３５は、たとえば発光ダイオードによって構成される。表示ランプ４３１，４３２は、緑色の表示ランプであり、表示ランプ４３３は、黄色の表示ランプであり、表示ランプ４３４，４３５は、赤色の表示ランプである。
【００３０】
操作通信部４２は、変換通信部３２によって送信された圧力値を受信し、受信した圧力値を操作制御部４１に送る。操作制御部４１は、操作通信部４２から受け取った圧力値に基づいて、吸気ガスの残量を操作表示部４３に表示する。具体的には、操作制御部４１は、たとえば、操作通信部４２によって受信した圧力値が３０ＭＰａ以上のときは、表示ランプ４３１を点灯し、他の表示ランプを消灯するように制御する。操作通信部４２によって受信した圧力値が３０ＭＰａ未満２１ＭＰａ以上のときは、表示ランプ４３２を点灯し、他の表示ランプを消灯するように制御する。操作通信部４２によって受信した圧力値が２１ＭＰａ未満１４ＭＰａ以上のときは、表示ランプ４３３を点灯し、他の表示ランプを消灯するように制御する。操作通信部４２によって受信した圧力値が１４ＭＰａ未満７．５ＭＰａ以上のときは、表示ランプ４３４を点灯し、他の表示ランプを消灯するように制御する。操作通信部４２によって受信した圧力値が７．５ＭＰａ未満のときは、表示ランプ４３５を点灯し、他の表示ランプを消灯するように制御する。
【００３１】
表示ランプ４３１〜４３５は、吸気ガスの圧力値に応じて点灯する表示ランプが決められている。吸気ガスの圧力値と吸気ガスの残量とは、相関関係があるので、点灯するランプによって、吸気ガスの残量が表示される。
【００３２】
第１の表示部である集中モニタ５は、各隊員が装着している呼吸器１００の圧力容器内に充填された吸気ガスの残量を集中して表示する装置である。集中モニタ５は、消火活動の中でも用いられるので、水がかかっても動作することができるように防水加工されている。たとえば電気接点は、絶縁樹脂など防水性のある材料で被覆されている。
【００３３】
集中モニタ５は、モニタ制御部５１、モニタ通信部５２、モニタ表示部５３、感振器５４および図示しない電池を含んで構成される。モニタ制御部５１は、変換制御部３１と同様に、図示しないＣＰＵおよび図示しない記憶装置によって構成される。モニタ制御部５１は、モニタ制御部５１に含まれる記憶装置に記憶されるプログラムを実行することによって、モニタ通信部５２およびモニタ表示部５３を制御する。モニタ通信部５２の図示しない電池は、電源部である。
【００３４】
モニタ通信部５２は、変換通信部３２と同様に、たとえば日本電気社製のＴＹ２４ＦＭ無線モジュールによって構成され、２，４ＧＨｚ帯の電波を用いて、変換通信部３２と情報の送受信を行う。モニタ通信部５２は、モニタ制御部５１から受け取る情報を送信し、受信した情報をモニタ制御部５１に送る。
【００３５】
図４は、モニタ表示部５３に設けられる表示ランプの一例を示す図である。モニタ表示部５３は、たとえば２７個の表示ランプが設けられ、「１」〜「５」の番号が表記されている。「１」〜「５」の番号は、隊員が装着する呼吸器の番号を表している。番号ごとに、つまり呼吸器ごとに、５つの表示ランプを含む１組の表示ランプ群５３２が設けられている。各組の表示ランプ群５３２は、点灯部である。
【００３６】
各組の表示ランプ群５３２に含まれる５つの表示ランプは、図３に示した表示ランプ４３１〜４３５に対応する表示ランプであり、図３に示した表示ランプ４３１〜４３５と同様に、吸気ガスの残量が表示される。残量に応じた点灯状態は、図３に示した表示ランプ４３１〜４３５の点灯状態と同じ点灯状態である。すなわち、各隊員が装着する呼吸器に装備される表示部４の表示ランプ４３１〜４３５の点灯状態と、集中モニタ５に表記された番号のうち、その呼吸器の番号の表示ランプ群５３２に含まれる５つの表示ランプの点灯状態とは、同じになる。
【００３７】
表示ランプ５３３は、黄色の発光ダイオードによって構成される。表示ランプ５３３は、点灯したとき、図示しない電池の残量が少なくなっていることを示す。表示ランプ５３３は、緑色の発光ダイオードによって構成される。表示ランプ５３３は、集中モニタ５の電源が投入されている状態であることを示す。
【００３８】
モニタ通信部５２は、変換通信部３２によって送信された圧力値を受信し、受信した圧力値をモニタ制御部５１に送る。モニタ制御部５１は、モニタ通信部５２から受け取った圧力値に基づいて、吸気ガスの残量をとして、呼吸器ごと、つまり隊員ごとにモニタ表示部５３に表示する。呼吸器の識別については後述する。
【００３９】
感振器５４は、たとえば振動を検出する振動センサによって構成され、集中モニタ５の振動を検出する。感振器５４は、集中モニタ５の振動を検出すると、図示しない電池の電力を、予め定める時間、たとえば１分の時間、モニタ制御部５１、モニタ通信部５２およびモニタ表示部５３に供給する状態、つまり電源が投入されている状態とする。感振器５４は、振動がなくなってから予め定める時間が経過すると、モニタ制御部５１、モニタ通信部５２およびモニタ表示部５３への電力の供給を停止した状態、つまり電源が切断された状態とする。感振器５４には、図示しない電池の電力が常に供給されている。感振器５４は、予め定める時間を計数するためのタイマを含む。
【００４０】
したがって、隊長は、隊員たちが消火活動を行っている場所から離れた位置で、集中モニタ５を持ち上げる等して、集中モニタ５に振動を与えることによって、集中モニタ５の電源を自動的に投入し、各隊員が装着している呼吸器の圧力容器内に圧縮充填された吸気ガスの残量を、集中モニタ５に設けられた表示ランプの点灯状態によって判断することができる。
【００４１】
図５は、通信データ６０の様式を示す図である。通信データ６０は、送信元識別情報（Identification；以下「ＩＤ」という）６１、送信先ＩＤ６２および送信情報６３を含んで構成される。
【００４２】
複数の変換器３、複数の表示部４および１つの集中モニタ５のいずれであるかを識別するために、各変換器３、各表示部４および集中モニタ５のそれぞれに、識別情報であるＩＤが予め割り当てられる。各変換制御部３１の記憶装置、各操作制御部４１の記憶装置、およびモニタ制御部５１の記憶装置は、各変換器３、各表示部４および集中モニタ５のそれぞれに割り当てられたＩＤを記憶する。各変換器３に割り当てられるＩＤは、呼吸器識別情報である。
【００４３】
変換制御部３１、操作制御部４１およびモニタ制御部５１は、自装置のＩＤを送信元ＩＤ６１とし、送信先の装置のＩＤを送信先ＩＤ６２とし、送信する情報を送信情報６３として、通信データ６０を生成する。自装置および送信先の装置は、変換器３、表示部４および集中モニタ５のうちのいずれかの装置のことである。
【００４４】
たとえば、ある隊員Ａが装着する呼吸器に装備される状態表示装置１の変換器３に割り当てられるＩＤが「００１１」であり、同じ隊員Ａが装着する呼吸器に装備される状態表示装置１の表示部４に割り当てられるＩＤが「００１２」であり、集中モニタ５に割り当てられるＩＤが「００５０」であるとする。このとき、隊員Ａが装着する呼吸器に装備される状態表示装置１の変換制御部３１が同じ状態表示装置１の操作制御部４１に圧力値を送信する場合に、変換制御部３１が生成する通信データ６０は、送信元ＩＤ６１が「００１１」であり、送信先ＩＤ６２が「００１２」であり、送信情報６３が圧力値である。また、隊員Ａが装着する呼吸器に装備される状態表示装置１の変換制御部３１が集中モニタ５に圧力値を送信する場合に、変換制御部３１が生成する通信データ６０は、送信元ＩＤ６１が「００１１」であり、送信先ＩＤ６２が「００５０」であり、送信情報６３が圧力値である。
【００４５】
このように、通信データ６０が送信元ＩＤ６１および送信先ＩＤ６２を含むので、どの装置からどの装置に送信される情報であるのかを、いずれの装置も識別することができる。したがって、送信側の装置は、送信先を特定して通信データ６０を送信することができ、受信側の装置は、自分宛の通信データ６０のみを受信することができる。
【００４６】
また、モニタ制御部５１は、通信データ６０に含まれる送信元ＩＤ６１によって、通信データ６０に含まれる圧力値が、どの変換器３から送信された圧力値、つまりどの呼吸器の圧力値であるかを識別することができるので、モニタ表示部５３に表記される番号と対応付けることができ、圧力値に基づく吸気ガスの残量を呼吸器ごとに表示することができる。
【００４７】
変換器３は、図示しない圧力スイッチおよび図示しない電池をさらに含む。圧力スイッチは、圧力センサ３３が検出した圧力が予め定める圧力、たとえば１０ＭＰａ以上になると、変換器３に含まれる図示しない電池からの電力を、変換制御部３１および変換通信部３２に供給するように切り換える。
【００４８】
表示部４は、図示しない電池をさらに含む。図示しない電池からの電力は、常時、操作制御部４１および操作通信部４２に供給している。操作通信部４２が変換器３から電源投入の指示を受信し、受信した電源投入の指示を操作制御部４１に伝える。操作制御部４１は、電源投入の指示を認識すると、図示しない電池から操作表示部４３への電力供給を開始させる。
【００４９】
図６は、本発明の他の実施形態である状態表示装置９の構成を示すブロック図である。状態表示装置９は、状態表示装置１に中継器７を加えた構成である。中継器７を除く構成要素は、図２に示した状態表示装置１の構成要素と同じであり、重複を避けるために、同じ参照符を付して説明を省略する。中継器７は、予めビルなどに設置される。
【００５０】
中継部である中継器７は、受信側通信部７１および送信側通信部７２とを含んで構成される。受信側通信部７１および送信側通信部７２は、変換通信部３２と同様に、たとえば日本電気社製のＴＹ２４ＦＭ無線モジュールによって構成され、２，４ＧＨｚ帯の電波を用いて情報の送受信を行う。受信側通信部７１は、送信元にかかわらず、送信される通信データ６０を受信し、受信した通信データ６０を送信側通信部７２に送る。送信側通信部７２は、受信側通信部７１から受け取った通信データ６０を送信する。
【００５１】
変換通信部３２、操作通信部４２およびモニタ通信部５２による通信距離は、２０ｍ〜３０ｍであり、それ以上の距離になると、通信データ６０の送受信を行うことができない。中継器７の通信距離も同じ距離であるが、１つの中継器７を介すことによって、通信距離を２倍にすることができる。同様に２つの中継器７を介すことによって、通信距離を３倍にすることができる。
【００５２】
上述した中継器７では、送信元にかかわらず、通信データ６０を中継したが、集中モニタ５との間でのみ中継するときは、通信データ６０の送信元ＩＤ６１および送信先ＩＤ６２のうちのいずれかに、集中モニタ５に割り当てられたＩＤが含まれているときのみ、中継するようにすればよい。
【００５３】
上述した実施形態では、変換器３は、吸気ガスの圧力値を呼吸器から取得し、取得した圧力値を表示部４および集中モニタ５に送信して、吸気ガスの残量を表示したが、表示する情報は吸気ガスの残量に限定されるものではない。変換器３が呼吸器から取得することができる情報であれば、どのような情報であっても、表示部４および集中モニタ５に送信して表示することができる。たとえば、隊員の体温、隊員の脈拍、および隊員が動作しているか否かを検出するための振動センサの出力などの情報を、表示部４および集中モニタ５に送信して表示してもよい。
【００５４】
また、上述した実施形態では、変換器３から表示部４および集中モニタ５に情報を送信して表示しているが、集中モニタ５から表示部４に情報を送信して表示する構成とすることも可能である。
【００５５】
また、従来、呼吸器の圧力容器内に圧縮充填された吸気ガスの残量の点検は、個別に残量測定用の個別のメータを用いてチェックされているが、集中モニタ５を用いることによって、残量測定用の個別のメータを用いることなく、複数の呼吸器について同時に点検することができる。
【００５６】
また、集中モニタ５に電波強度を測定する測定手段を設け、各隊員との距離を算出するようにしてもよい。一般に電波強度は距離に依存して減少するので、各隊員に装着される呼吸器１００の変換器３からの電波強度を測定手段で測定し、測定した電波強度に基づいて、各変換器３、つまり各隊員との距離を算出することができる。
【００５７】
集中モニタ５は、たとえば、図４に示した表示ランプ群５３２のうち、どの表示ランプを点灯するかによって、算出した距離を表示する。具体的には、集中モニタ５は、算出した距離が３０ｍ以上であるとき、左端の緑色の表示ランプを点灯し、算出した距離が３０ｍ未満２０ｍ以上であるとき、左端から第２番目の緑色の表示ランプを点灯し、算出した距離が２０ｍ未満１０ｍ以上であるとき、真ん中の黄色の表示ランプを点灯し、算出した距離が１０ｍ未満であるとき、右端から第２番目の赤色の表示ランプを点灯する。表示ランプは、集中モニタ５に、吸気ガスの残量を表示するか距離を表示するかを切り換える切り換えスイッチを設けて切り換えるようにしてもよいし、距離を表示するための専用の表示ランプを設けてもよい。
【００５８】
このように、状態表示装置１は、電波強度を測定して、隊員との距離を表示ランプに表示することによって、隊員が行方不明になった際に、隊員の所在を捜索するための装置として利用することができる。
【００５９】
このように、変換器３は、人体に装着するための各呼吸器に設けられ、呼吸器の圧力容器内に圧縮充填された吸気ガスの圧力を検出する圧力センサ３３を有し、圧力センサ３３によって検出された圧力値を無線通信によって送信する。そして、集中モニタ５は、各呼吸器に設けられる変換器３から送信される圧力値を受信し、受信した圧力値に基づいて、吸気ガスの残量を呼吸器ごとに表示する。したがって、変換器３は、各呼吸器の吸気ガスの残量を、接続ケーブル等を用いることなく、離れた箇所にある集中モニタ５に集中して表示することができる。
【００６０】
さらに、表示部４は、各呼吸器に設けられ、同じ呼吸器に設けられる変換器３から送信される圧力値を受信し、受信した圧力値に基づいて、吸気ガスの残量を表示する。したがって、隊員が装着する呼吸器に装備される表示部４にも、集中モニタ５に表示される残量と同じ残量を表示することができる。
【００６１】
さらに、中継器７は、各呼吸器に設けられる変換器３から送信される圧力値を受信し、受信した圧力値を送信するので、集中モニタ５が変換器３の通信範囲を超える範囲にある場合でも、圧力値を集中モニタ５に送信することができる。
【００６２】
さらに、変換器３は、各変換器３を識別するための識別情報が割り当てられ、圧力値を送信するとき、自変換器３に割り当てられている識別情報とともに圧力値を送信し、集中モニタ５は、圧力値とともに識別情報を受信し、受信した識別情報が割り当てられている変換器３が設けられる呼吸器を識別する。したがって、呼吸器ごとの残量を、呼吸器ごとに表示することができる。
【００６３】
さらに、集中モニタ５は、振動を検出する感振器５４、各組の表示ランプ群５３２および図示しない電池を含む。そして、感振器５４は、振動を検出すると、図示しない電池からの電力を予め定める時間だけ各組の表示ランプ群５３２に供給し、各組の表示ランプ群５３２を点灯させることによって、吸気ガスの残量を表示する。したがって、残量を確認する必要があるときのみ、電源を投入することができるので、図示しない電池の容量の消耗を抑制することができる。
【符号の説明】
【００６４】
１，９  状態表示装置
２，９０  ＨＵＤ
３，９３  変換部
４，９４  表示部
５  集中モニタ部
７  中継器
３１  変換制御部
３２  変換通信部
３３，９２  圧力センサ
４１  操作制御部
４２  操作通信部
４３  操作表示部
５１  モニタ制御部
５２  モニタ通信部
５３  モニタ表示部
５４  感振器
５５  電池
９５  接続ケーブル
１００  呼吸器
１０１  ボンベ
１０２  面体
【図１】
0005743507.tif 000002
【図２】
0005743507.tif 000003
【図３】
0005743507.tif 000004
【図４】
0005743507.tif 000005
【図５】
0005743507.tif 000006
【図６】
0005743507.tif 000007
【図７】
0005743507.tif 000008
【図８】
0005743507.tif 000009